(57)【要約】【課題】端子金具が変形した場合でも外れにくい組合せ端子金具を提供する。【解決手段】端子金具１，２は、それぞれ板状の取付部３，２４を備えており、両取付部３，２４を互いに板厚方向に重ねつつ、一方の取付部２４に設けられたスリット１４に他方の取付部３の連結部１８を差し込むことで、両取付部３，２４が互いに組み付けられる。スリット１４の内縁部には、がた詰め突起２７が設けられており、これにより端子金具１，２がスリット１４の近傍から変形したような場合でも、がた詰め突起２７が両取付部３，２４のがたつきを規制するため、両端子金具１，２の組み付けが外れることが防止される。【選択図】  図７
2005032557.tif 000002
【特許請求の範囲】
【請求項１】
略板状の取付部を備えた一対の端子金具からなり、前記両取付部を互いに板厚方向に重ねつつ、一方の取付部に設けられたスリットに他方の取付部を差し込むことで、両取付部が互いに組み付けられるようにした組合せ端子金具であって、
前記スリットの内側には、相手側に当接してがたつきを規制するがた詰め突起が設けられていることを特徴とする組合せ端子金具。
【請求項２】
前記両端子金具の取付部には、組み付け時に互いに整合するボルト止め用の取付孔がそれぞれ貫通して形成され、前記スリットがその取付孔の周囲に設けられたものであって、
前記両端子金具のうちの少なくとも一方の取付部には、取付面側に係止することで、ボルト締め時の連れ回りを規制する回り止め部が延出して設けられるとともに、前記がた詰め突起が前記回り止め部寄り位置に配設されたスリットの内縁部に形成されていることを特徴とする請求項１に記載の組合せ端子金具。
【発明の詳細な説明】
【０００１】
【発明の属する技術分野】
本発明は、組合せ端子金具に関する。
【０００２】
【従来の技術】
組合せ端子金具の一例として、図８に示したものが知られている。一方の端子金具１００には、電線Ｗの端部が接続される電線接続部１０１と、図示しないボルトを挿通可能な取付孔１０２を有した略板状の取付部１０３とが設けられている。もう一方の端子金具１０４には、同じく電線Ｗの端部が圧着される電線接続部１０１と、図示しないボルトを挿通可能な取付孔１０２を有した略板状の取付部１０５とが設けられるとともに、先細り状に延出した取付部１０５の先端には連れ回り防止用の回り止め部１０６が下方へ向けて突設されている。両取付部１０３，１０５は取付孔１０２回りが互いにほぼ対称構造となっており、両端子金具１００，１０４の各取付部１０３，１０５には、それぞれ取付孔１０２を挟んだ位置に、係止突起１０７を備えた第１係合部１０８と、係止孔１０９を備えた第２係合部１１０とが段差状に設けられている。また、各係合部１０８，１１０には、それぞれ側方へ開放したスリット１１１，１１２が前後一対ずつ形成されている。
【０００３】
組み付けに際しては、両端子金具１００，１０４を上下に重ねつつ互いの第１係合部１０８を相手側端子金具の取付孔１０２の内側に進入させる。そして、両取付部１０３，１０５を板面に沿って相対的にスライドさせ、スリット１１１に相手側端子金具の第２係合部１１０を、スリット１１２に相手側端子金具の第１係合部１０８をそれぞれ差し込むようにする。これにより、図９及び図１０（Ａ）に示すように、両端子金具１００，１０４が取付孔１０２，１０２を整合させた状態で離脱不能に組み付けられる。
なお、この種の組合せ端子金具の一例として、特許文献１に記載されたものがある。
【０００４】
【特許文献１】
特開平１１−６７３０５号公報
【０００５】
【発明が解決しようとする課題】
上記の組合せ端子金具１００，１０４では、回り止め部１０６や電線接続部１０１等の部位に無理な力が加えられると、例えば図１０（Ｂ）に示すように、その部位がスリット１１１，１１２付近から折れ曲がってしまうことがある。このように変形すると、両端子金具１００，１０４が上下方向（厚み方向）にがたつきを生じるため、係止突起１０７が係止孔１０９より外れて、両端子金具１００，１０４が離脱してしまうおそれがあった。
本発明は、上記事情に鑑みてなされたもので、その目的は、端子金具が変形した場合でも外れにくい組合せ端子金具を提供するところにある。
【０００６】
【課題を解決するための手段】
上記の課題を解決するための請求項１の発明に係る組合せ端子金具は、略板状の取付部を備えた一対の端子金具からなり、前記両取付部を互いに板厚方向に重ねつつ、一方の取付部に設けられたスリットに他方の取付部を差し込むことで、両取付部が互いに組み付けられるようにした組合せ端子金具であって、前記スリットの内側には、相手側に当接してがたつきを規制するがた詰め突起が設けられているところに特徴を有する。
【０００７】
請求項２の発明は、請求項１に記載のものにおいて、前記両端子金具の取付部には、組み付け時に互いに整合するボルト止め用の取付孔がそれぞれ貫通して形成され、前記スリットがその取付孔の周囲に設けられたものであって、前記両端子金具のうちの少なくとも一方の取付部には、取付面側に係止することで、ボルト締め時の連れ回りを規制する回り止め部が延出して設けられるとともに、前記がた詰め突起が前記回り止め部寄り位置に配設されたスリットの内縁部に形成されているところに特徴を有する。
【０００８】
【発明の作用および効果】
請求項１の発明によれば、端子金具がスリットの近傍から変形したような場合でも、がた詰め突起が両取付部間のがたつきを規制するため、両端子金具の組み付けが外れることが防止される。
【０００９】
請求項２の発明によれば、一方の取付部における回り止め部寄り位置に配設されたスリットの内縁部にがた詰め突起が形成されているため、回り止め部側が変形したような場合であっても両取付部間のがたつきを規制でき、よって両端子金具の組み付けが外れることを防止できる。
【００１０】
【発明の実施の形態】
＜第１実施形態＞
次に本発明の第１実施形態について図１から図７を参照して説明する。
本実施形態の組合せ端子金具は、互いに上下に重ね合わせた状態で組み付けられる一対の端子金具１，２から構成されている。両端子金具１，２は、いずれも所定形状に打ち抜いた導電性の金属板材を曲げ加工して形成される。なお、以下の説明においては、図２及び図３の上側を前方とする。また、両端子金具１，２間で同一構造のものについては、同一符号を付して、重複する説明を一部省略する。
【００１１】
上側に組み付けられる端子金具１は、図１及び図２に示すように、板状で角部が円弧状をなす略正方形の取付部３と、この取付部３の後縁右端から後方へ延出する電線接続部４とからなる。電線接続部４は、電線Ｗの芯線をかしめ付ける前側のワイヤバレル４Ａと、電線Ｗの被覆をかしめ付ける後側のインシュレーションバレル４Ｂとをそれぞれ左右一対ずつ上方へ立ち上げて形成されている。取付部３は、左右方向に長い前後一対の平板部５Ｆ，５Ｒと、この平板部５Ｆ，５Ｒの左端部同士を橋渡し状に連結する第１係合部６と、両平板部５Ｆ，５Ｒの右端部同士を橋渡し状に連結する第２係合部７とからなり、これらに囲まれた中央部分には、ボルトを貫通させるための取付孔８が開口されている。両平板部５Ｆ，５Ｒは、同じ高さに位置しており、またそれぞれ第２係合部７付近に接触突起９が下方へ叩き出されて形成されている。
【００１２】
第１係合部６は、より詳細には、前後に長い平板状の第１受け板部１１を備え、その前後両端部が略上下方向に向けて曲げられた一対の連結部１２を介して平板部５Ｆ，５Ｒの左端寄りに連結されており、第１受け板部１１が平板部５Ｆ，５Ｒに対して板厚略一枚分程度低くなるような段差状をなしている。また、第１受け板部１１には、その左端縁から、タブ状の第１差込部１３が板面に沿って突出して形成されている。さらに、この第１差込部１３の前後端縁部と平板部５Ｆ，５Ｒの端縁部と連結部１２とに囲われた領域には、左右方向に延びて右方へ開放するスリット１４が形成されている。また、第１差込部１３の上面には、上方へ叩き出されかつ左方へ向かって下り勾配となる係止突起１５が形成されている。
【００１３】
また、第２係合部７は、より詳細には、前後に長い略平板状の第２受け板部１７を備え、その前後両端部が略上下方向に向けて曲げられた一対の連結部１８を介して平板部５Ｆ，５Ｒの右端に連結されており、第２受け板部１７が平板部５Ｆ，５Ｒに対して板厚略一枚分程度低くなるような段差状をなしている。また、第２受け板部１７には、その左端縁から、平板状の第２差込部１９が板面に沿って突出して形成されている。さらに、この第２差込部１９の前後端縁部と平板部５Ｆ，５Ｒの端縁部と連結部１８とに囲われた領域には、左右方向に延びて右方へ開放するスリット２０が形成されている。また、第２受け板部１７には、長方形の係止孔２１が上下に貫通して形成されており、第２差込部１９の上面にはその左端縁から係止孔２１に至るテーパ面２２が形成されている。
【００１４】
一方、下側に組み付けられる端子金具２は、図１及び図３に示すように、板状をなす取付部２４の後端縁左端部から電線接続部４を延出させたものであり、電線接続部４は、電線Ｗの芯線をかしめ付ける前側のワイヤバレル４Ａと、電線Ｗの被覆をかしめ付ける後側のインシュレーションバレル４Ｂとをそれぞれ左右一対ずつ上方へ立ち上げて形成されている。取付部２４は、前後一対の平板部２５Ｆ，２５Ｒと、この両平板部２５Ｆ，２５Ｒの右端部同士を連結する第１係合部６と、両平板部２５Ｆ，２５Ｒの左端部同士を連結する第２係合部７とを備え、中央に取付孔８を有している。この２つの係合部６，７は、上記端子金具１の係合部６，７を前後方向の軸を中心として１８０°回転させたものであり、両端子金具１，２の取付部３，２４における取付孔８回りの構造は、前後方向の軸に関して概ね対称の関係となっている。また、両平板部２５Ｆ，２５Ｒには、それぞれ第２係合部７付近に接触突起９が上方へ叩き出されて形成されている。また、平板部２５Ｆの前部は、前方へ先細り状に延出しており、その前端部から下方へ板状の回り止め部２６が突出して形成されている。この回り止め部２６は、取付面付近に凹設された溝部（図示せず）に嵌まり込むことで、ボルトを回し付けるときに、端子金具１，２の連れ回りを規制することができるので、ボルト締め操作が容易となる。
【００１５】
さて、両端子金具１，２の各スリット１４にはそれぞれ相手側端子金具の連結部１８を、各スリット２０には相手側の連結部１２を差し込んで係合可能とされ、それぞれのスリット１４，２０の内縁部と差し込まれる連結部１２，１８との間には若干のクリアランスが設定されている。また、端子金具２における平板部２５Ｆ，２５Ｒの端縁部であってスリット１４，２０の内縁部には、それぞれがた詰め突起２７がスリット１４，２０の内側へ突出して形成されており、これらのがた詰め突起２７が差し込まれた連結部１２，１８に対して当接することで、スリット１４，２０内における連結部１２，１８のがたつきが規制されるようになっている。
【００１６】
次に本発明の作用を説明する。
組み付けに際しては、まず、図１に矢線で示すように、端子金具１を端子金具２の上面に重ねつつ両端子金具１，２の第１係合部６をそれぞれ相手側の取付孔８の内側に進入させる。この状態から端子金具１を端子金具２に対して図２の左方向へ板面に沿ってスライドさせると、端子金具１の差込部１３，１９がそれぞれ相手の端子金具２の差込部１３，１９の下側に進入するとともに、各第１差込部１３の係止突起１５が相手側のテーパ面２２に乗り上げて、第１差込部１３が厚み方向に若干撓み変形する。一方で、各接触突起９が相手側の平板部５Ｆ，５Ｒ，２５Ｆ，２５Ｒに当接することで、各平板部５Ｆ，５Ｒ，２５Ｆ，２５Ｒが互いに相手側から若干離間して、両端子金具１，２が互いに反り返るような姿勢に弾性的に変形する。両端子金具１，２をさらにスライドさせると、各差込部１３，１９がそれぞれ相手側の受け板部１１，１７に重なる位置まで差し込まれるとともに、各連結部１２が相手のスリット２０に、各連結部１８が相手のスリット１４に差し込まれる。端子金具１の連結部１２，１８が端子金具２のスリット１４，２０へ進入すると、スリット１４，２０の内縁部に設けられたがた詰め突起２７の先端がその連結部１２，１８に当接して若干押し潰されながら、連結部１２，１８が奥側へ挿入される。
【００１７】
そして、両端子金具１，２が取付孔８，８同士が整合する正規の組み付け位置まで至ると、図４から図６に示すように、厚み方向に撓み変形していた第１差込部１３が復元変形するとともに、係止突起１５が相手側の係止孔２１に嵌合し、これにより両取付部３，２４の逆方向のスライドが規制され、両端子金具１，２が両端子金具１，２が離脱不能に保持される。この正規の組み付け状態では、両端子金具１，２における第１係合部６の第１差込部１３がそれぞれ相手側の第２係合部７の第２受け板部１７の反対面側に差し込まれて、この噛み合いによって両端子金具１，２が厚み方向（上下方向）に離脱することが規制される。また、この組み付け状態においては、側方から見ると、互いのスリット１４，２０内に連結部１２，１８が差し込まれた部分において、両端子金具１，２が交差した形態となっており、また端子金具２におけるスリット１４，２０の内縁部に設けられたがた詰め突起２７が相手側の連結部１２における前面側又は後面側に密着することで、両取付部３，２４のがたつきが規制されている。
【００１８】
上記のようにして組み付けられた端子金具１，２は、回り止め部２６を取付面付近の溝部（図示せず）に嵌め込むとともに、ボルトを両取付孔８に挿通させてねじ締めすることで取り付けられる。この取り付けが完了するまでの間には、両端子金具１，２に無理な力が加えられて端子金具１，２の一部が変形してしまうことが起こり得る。この場合、第１，第２係合部６，７の噛み合い部分は比較的強度が高いため変形を生じにくいことから、平板部５Ｆ，５Ｒ，２５Ｆ，２５Ｒのうちのいずれかが各連結部１２，１８との境界部分を軸として傾くような変形を生じる可能性が比較的高い。一例として図７には、端子金具２の平板部２５Ｆが連結部１２，１８との境界部分から下向きに傾くように変形した状態を示した。この場合には、平板部５Ｆ，２５Ｆの各接触突起９が相手側の平板部５Ｆ，２５Ｆから離間するため、接触突起９による上下方向への変位に対する規制はない状態になる。しかしながら、スリット１４，２０の内縁部に設けられたがた詰め突起２７が、平板部２５Ｆの変形に伴って相手側の連結部１２，１８の外面斜め下に回り込んでおり、かつ同がた詰め突起２７が平板部２５Ｆの変形の軸中心近傍に位置してるため、連結部１２，１８からほとんど離間することなく連結部１２，１８に当接した状態を保つことから、各連結部１２，１８がスリット１４，２０内にほぼ緊密に保持され、よって両取付部３，２４が互いに上下にがたつくことが規制される（たとえがたついたとしてもそのがたつき量は僅かである。）。従って、係止突起１５が相手側の係止孔２１から離脱することが防止され、両係合部６，７の係合状態を維持できる。なお、端子金具２の後端側（電線接続部４及び平板部２５Ｒ）が下側に変形した場合でも上記と同様に、平板部２５Ｒに設けられたがた詰め突起２７により両取付部３，２４のがたつきが規制される。また、端子金具１の平板部５Ｆ，５Ｒが上側に変形した場合にもやはりがた詰め突起２７によって両取付部３，２４のがたつきが規制される。
【００１９】
以上のように本実施形態によれば、端子金具１，２がスリット１４，２０の近傍から変形したような場合でも、がた詰め突起２７が両取付部３，２４のがたつきを規制するため、両端子金具１，２の組み付けが外れることが防止される。
また、一方の取付部２４における回り止め部２６寄り位置に配設されたスリット１４，２０（端子金具２における前側のスリット）の内縁部にがた詰め突起２７が形成されているため、回り止め部２６側が変形した場合であっても両取付部３，２４間のがたつきを規制でき、両端子金具１，２の組み付けが外れることを防止できる。
【００２０】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では、一対の端子金具からなる組合せ端子金具を示したが、本発明によれば、組合せ端子金具を３つ以上の端子金具から構成しても良く、例えば各端子金具の取付部を３段以上積み重ねた状態で組み付け、上下に隣り合う取付部間においてがた詰め突起にてがたつきを規制するような構成としても良い。
（２）上記実施形態では、がた詰め突起を一方の端子金具のみに設けたが、がた詰め突起を両方の端子金具に設けても良い。また、がた詰め突起の個数、位置、形状等は適宜変更できる。また、上記実施形態では、がた詰め突起をスリットの内縁部に設けたが、本発明によれば、相手側の連結部にスリットの内縁部に対して当接可能ながた詰め突起を突出して形成しても良い。
【図面の簡単な説明】
【図１】本発明の第１実施形態に係る組合せ端子金具の組み付け前の状態を示す斜視図
【図２】上側の端子金具の平面図
【図３】下側の端子金具の平面図
【図４】組合せ端子金具の組み付け後の状態を示す斜視図
【図５】その底面図
【図６】その側面図
【図７】端子金具が変形した状態を示す側面図
【図８】従来例に係る組合せ端子金具の組み付け前の状態を示す斜視図
【図９】従来例に係る組合せ端子金具の組み付け後の状態を示す斜視図
【図１０】（Ａ）従来例に係る組合せ端子金具の係合部分の部分拡大側面図
（Ｂ）端子金具が変形した状態を示す部分拡大側面図
【符号の説明】
１，２…端子金具
３，２４…取付部
６…第１係合部
７…第２係合部
８…取付孔
１４，２０…スリット
２６…回り止め部
【図１】
2005032557.tif 000003
【図２】
2005032557.tif 000004
【図３】
2005032557.tif 000005
【図４】
2005032557.tif 000006
【図５】
2005032557.tif 000007
【図６】
2005032557.tif 000008
【図７】
2005032557.tif 000009
【図８】
2005032557.tif 000010
【図９】
2005032557.tif 000011
【図１０】
2005032557.tif 000012